(57)【要約】【課題】太陽電池パネルの発電量を損なうことなくパネル面に装飾模様を表示して太陽電池パネルの意匠性を高める装飾模様付き太陽電池パネルを提供する。【解決手段】太陽電池パネル１は、太陽電池セル２を表面側パネル４ａと裏面側パネル４ｂにより挟み込み、表面側パネル４ａは太陽電池セル２周辺の縁部３に対向する表面側縁部３ａと太陽電池セル２に対向して太陽光を太陽電池セル２に入射させる表面側パネル部５ａとから構成され、表面側縁部３ａ及び表面側パネル部５ａにはそれぞれ第１装飾模様１１及び第２装飾模様１２が印刷され、第１装飾模様１１は面により模様を表す面摸様部６と面模様部６の下地となる下地模様部７とから構成され、第２装飾模様１２は線により模様を表す線模様部８と太陽光を透過させる光透過部９とから構成される。【選択図】図１
2012227402.tif 000002
【特許請求の範囲】
【請求項１】
周辺に縁部を設けて並置された複数枚の太陽電池セルを、表面側パネルと裏面側パネルにより挟み込み、
表面側パネルは、太陽電池セル周辺の縁部に対向する表面側縁部と、太陽電池セルに対向して太陽光を太陽電池セルに入射させる表面側パネル部とから構成され、
表面側縁部には第１の装飾模様が印刷され、
表面側パネル部には第２の装飾模様が印刷され、
第１の装飾模様は、面により模様を表す面摸様部と、面模様部の下地となる下地模様部とから構成され、
第２の装飾模様は、線により模様を表す線模様部と、太陽光を透過させる光透過部とから構成されることを特徴とする装飾模様付き太陽電池パネル。
【請求項２】
請求項１に記載の装飾模様付き太陽電池パネルであって、太陽電池セルは、表面だけではなく裏面から受光した光エネルギーも電気に変換し、裏面側パネルは、太陽電池セル周辺の縁部に対向する裏面側縁部と、太陽電池セルに対向して太陽光を太陽電池セルに入射させる裏面側パネル部とから構成され、裏面側縁部には第３の装飾模様が印刷され、裏面側パネル部には第４の装飾模様が印刷され、第３の装飾模様は、面により模様を表す面摸様部と、面模様部の下地となる下地模様部とから構成され、第４の装飾模様は、線により模様を表す線模様部と、太陽光を透過させる光透過部とから構成されることを特徴とする装飾模様付き太陽電池パネル。
【請求項３】
請求項１又は２に記載の装飾模様付き太陽電池パネルであって、第１の装飾模様又は第３の装飾模様は、面摸様部と下地模様部との境界上に輪郭線を有し、面摸様部と下地模様部とはそれぞれ異なる色彩で塗り分けられ、第２の装飾模様又は第４の装飾模様は、着色された線模様部が光透過部上に輪郭線として描かれ、第１の装飾模様の輪郭線と第２の装飾模様の輪郭線とは、図案として連続するか、又は第３の装飾模様の輪郭線と第４の装飾模様の輪郭線とは、図案として連続するように配置されることを特徴とする装飾模様付き太陽電池パネル。
【請求項４】
請求項１乃至３のいずれか１項に記載の装飾模様付き太陽電池パネルであって、表面側縁部又は裏面側縁部には板状の蓄光剤が取り付けられ、表面側縁部の蓄光剤の表面には、線模様部と光透過部とから構成される第５の装飾模様が印刷されて着色された線模様部が光透過部上に輪郭線として描かれ、又は、裏面側縁部の蓄光剤の表面には、線模様部と光透過部とから構成される第６の装飾模様が印刷されて着色された線模様部が光透過部上に輪郭線として描かれ、第５の装飾模様の輪郭線と第２の装飾模様の輪郭線とは、図案として連続するように配置されるか、又は、第６の装飾模様の輪郭線と第４の装飾模様の輪郭線とは、図案として連続するように配置されることを特徴とする装飾模様付き太陽電池パネル。
【請求項５】
請求項１乃至４のいずれか１項に記載の装飾模様付き太陽電池パネルであって、裏面側パネルは、太陽光を遮蔽する素材からなり、裏面側縁部及び裏面側パネル部には、面により模様を表す面摸様部と、面模様部の下地となる下地模様部とからなる第７の装飾模様、又は線により模様を表す線模様部と、線模様部の下地となる下地模様部とからなる第８の装飾模様のいずれかが印刷されることを特徴とする装飾模様付き太陽電池パネル。
【請求項６】
敷設された複数枚の太陽電池セルに表面パネルを積層して貼り付け、枠材を取り付けて太陽電池セルを固定し、
枠材の表面である枠部には、第１の装飾模様が印刷され、
太陽電池セルに対向して太陽光を太陽電池セルに入射させる表面パネルには、第２の装飾模様が印刷され、
第１の装飾模様は、面により模様を表す面摸様部と、面模様部の下地となる下地模様部とから構成され、
第２の装飾模様は、線により模様を表す線模様部と、太陽光を透過させる光透過部とから構成されることを特徴とする装飾模様付き太陽電池パネル。
【請求項７】
請求項１乃至６のいずれか１項に記載の装飾模様付き太陽電池パネルであって、表面側パネル又は裏面側パネルに印刷される線模様部は太陽光を透過させる模様であることを特徴とする装飾模様付き太陽電池パネル。
【請求項８】
請求項１乃至７のいずれか１項に記載の装飾模様付き太陽電池パネルであって、前記装飾模様には、小紋の柄及び色彩を再現した装飾模様が含まれることを特徴とする装飾模様付き太陽電池パネル。
【発明の詳細な説明】
【技術分野】
【０００１】
本発明は、装飾模様付き太陽電池パネルに係り、特に、周辺に縁部又は枠部を設けて並置された複数枚の太陽電池セルを、表面側パネルと裏面側パネルにより挟み込み、表面側パネルは、太陽電池セル周辺の縁部又は枠部に対向する表面側縁部と、太陽電池セルに対向して太陽光を太陽電池セルに入射させる表面側パネル部とから構成される装飾模様付き太陽電池パネルに関する。
【背景技術】
【０００２】
太陽電池セルとは、光起電力効果を利用し、受光した光エネルギーを即時に電気に変換する電力機器をいう。この太陽電池セルの内部に入射した光エネルギーは、電子によって直接的に吸収され、予め設けられた電界に導かれ、電力として太陽電池セルの外部に出力される。そして、太陽電池セルを複数枚直並列接続して必要な電圧と電流を得られるようにしたパネル状の製品単体を太陽電池パネルという。
【０００３】
この太陽電池セルの材料には主にシリコンが用いられる。このシリコンは、大きく結晶シリコンとアモルファス（ａｍｏｒｐｈｏｕｓ）シリコンとに分類される。このうち、アモルファスシリコンを用いた太陽電池セルは、１０μｍ以下の厚みの薄膜シリコン型に分類される。これは、光吸収係数が高いため厚さが薄くとも実用化が可能となるからである。そして、結晶シリコンを用いた太陽電池セルと比較して高温時に出力が落ちにくいという特性を有する。さらに、極端な低照度下での効率が高いという特性を有する。一方、結晶シリコンを用いた太陽電池セルは、従来、光吸収係数が低いため実用的な吸収量を得るには最低２００μｍ程度のシリコン層が必要とされていたが、技術の発達によりシリコン層が数μｍ〜５０μｍといった薄膜シリコン型に分類できる太陽電池セルが開発されている。
【０００４】
これらの結晶シリコンやアモルファスシリコンのシリコン層の厚みを薄くしたフィルム型太陽電池パネルが実用化されている。薄膜にしたことでフィルムのような可撓性が得られることからフィルム型太陽電池パネルという。また、結晶シリコンやアモルファスシリコンを積層し、通常の結晶シリコンに比して変換効率を高め、温度効率を改善したハイブリッド型の太陽電池パネルも開発されている。
【０００５】
図７に、一般的なフィルム型太陽電池パネル４０を示す。図７（ａ）に、フィルム型太陽電池パネル４０の平面図を示し、図７（ｂ）に、図７（ａ）のＣ−Ｃ断面を示す。フィルム型太陽電池パネル４０は、周辺に縁部３を設けて並置された複数枚の太陽電池セル２を、表面側パネル４ａと裏面側パネル４ｂにより接着剤（又は封止材）２２を用いて挟み込んだパネルである。表面側パネル４ａは、例えば、ＥＴＦＥ（熱可塑性フッ素樹脂）からなり、裏面側パネル４ｂは、ＥＴＦＥ（熱可塑性フッ素樹脂）または鋼板やＰＥＴ（ポリエチレンテレフタラート）からなる。また、端部には電気を取り出す端子箱２１が取り付けられる。
【０００６】
このフィルム型太陽電池パネル４０は、重量が軽くフレキシブルであるため、曲面屋根など従来の結晶シリコンによる平板状の太陽電池パネルでは適用が難しい場所に採用されている。また、特許文献１には、ロールスクリーン本体の窓面上にフィルム型の太陽電池パネルを貼り付けたロールカーテン装置が開示されている。
【０００７】
太陽電池パネルを用いた太陽電池発電システムについてはいくつかの技術が考案されている。例えば特許文献２には、光電変換素子の温度上昇を抑制し、入射光に含まれる熱エネルギーを有効利用できる光エネルギー収集装置が開示されている。ここでは、太陽光は凹面鏡により反射されて集光し、コールドミラーが、集光された光を入射してこの光に含まれる可視光を反射して赤外光を透過する。そして、太陽電池は可視光を受光して光起電力を発生することが記載されている。
【０００８】
蓄光剤とは、光源からの紫外線を吸収して暗所において徐々に燐光を放出する材料をいう。この蓄光とは、物質に対して紫外線や可視光線などの励起光が消滅した後も一定時間物質が発光を続ける特性をいう。蓄光剤としては、例えば、アルミナ系酸化物などの無機顔料が知られている。この蓄光剤を含有する物体はこの蓄光性により燐光輝度(ｃｄ／ｍ２)を有する。
【先行技術文献】
【特許文献】
【０００９】
【特許文献１】特開２００８−４２１４２号公報
【特許文献２】特開２００８−７２００４号公報
【発明の概要】
【発明が解決しようとする課題】
【００１０】
フィルム型太陽電池パネルの出現によって、これまで直接人目に付かない屋根面などに並置されていた太陽電池パネルが、例えば、室内の窓際に吊るすなど直接人目に付くような多様な使用方法が可能となった。そこで、これまでの機能優先の太陽電池パネルは、意匠性の高い外観が要求されるようになる。すなわち、室内に配置されるインテリアとして、或いは室外に設置されるエクステリアとして美観を備えたパネルが求められる。
【００１１】
しかし、太陽電池パネル表面の大部分は、受光した光エネルギーを即時に電気に変換する太陽電池セルが占めており、この太陽電池セルに意匠性を持たすように、例えばシートなどを太陽電池セルの表面に取り付けると、太陽からの光エネルギーを遮蔽し、太陽電池パネルの発電量が損なわれ、太陽電池パネル本来の機能が発揮されなくなるという問題がある。
【００１２】
本願の目的は、かかる課題を解決し、太陽電池パネルの発電量を損なうことなくパネル面に装飾模様を表示して太陽電池パネルの意匠性を高める装飾模様付き太陽電池パネルを提供することである。
【課題を解決するための手段】
【００１３】
上記目的を達成するため、本発明に係る装飾模様付き太陽電池パネルは、周辺に縁部を設けて並置された複数枚の太陽電池セルを、表面側パネルと裏面側パネルにより挟み込み、表面側パネルは、太陽電池セル周辺の縁部に対向する表面側縁部と、太陽電池セルに対向して太陽光を太陽電池セルに入射させる表面側パネル部とから構成され、表面側縁部には第１の装飾模様が印刷され、表面側パネル部には第２の装飾模様が印刷され、第１の装飾模様は、面により模様を表す面摸様部と、面模様部の下地となる下地模様部とから構成され、第２の装飾模様は、線により模様を表す線模様部と、太陽光を透過させる光透過部とから構成されることを特徴とする。
【００１４】
上記構成により、装飾模様付き太陽電池パネルは、太陽電池パネル自体が、太陽電池セルの周辺に縁部が設けられて形成されるという特徴を生かし、太陽電池セルを太陽光から遮蔽しない表面側縁部には第１の装飾模様を印刷する。この第１の装飾模様は、面により模様を表す面摸様部と、面模様部の下地となる下地模様部とから構成される。これにより、面模様部及び下地模様部の構成により装飾性が発揮され、太陽電池パネルの意匠性を高めることができる。そして、太陽電池セルを太陽光から遮蔽する表面側パネル部には第２の装飾模様を印刷する。この第２の装飾模様は、線により模様を表す線模様部と、太陽光を透過させる光透過部とから構成される。これにより、線模様の線部分のみが太陽光を遮蔽し、その他の光透過部は太陽光を透過するので、太陽電池パネルへの太陽光の透過率を極めて高くすることができる。このように、太陽電池パネルの発電量を損なうことなくパネル面に装飾模様を表示して太陽電池パネルの意匠性を高めることが可能となる。
【００１５】
また、太陽電池パネルは、太陽電池セルが、表面だけではなく裏面から受光した光エネルギーも電気に変換し、裏面側パネルが、太陽電池セル周辺の縁部に対向する裏面側縁部と、太陽電池セルに対向して太陽光を太陽電池セルに入射させる裏面側パネル部とから構成され、裏面側縁部には第３の装飾模様が印刷され、裏面側パネル部には第４の装飾模様が印刷され、第３の装飾模様が、面により模様を表す面摸様部と、面模様部の下地となる下地模様部とから構成され、第４の装飾模様が、線により模様を表す線模様部と、太陽光を透過させる光透過部とから構成されることが好ましい。これにより、太陽電池パネルを室内に配置させ、例えば、窓から入射する太陽光に対して表面或いは裏面のいずれかで受光することができ、或いは表面及び裏面の双方で受光することができ、太陽電池パネルの発電量を増す活用法を提示できる。また、太陽電池パネルは、その装飾性により室内に配置されるインテリアとして使用される。さらに、太陽電池パネルは、表面の第１及び第２装飾模様と裏面の第３及び第４装飾模様とを異ならせることができ、装飾性のバリエーションを増加できる。
【００１６】
また、装飾模様付き太陽電池パネルは、第１の装飾模様又は第３の装飾模様が、面摸様部と下地模様部との境界上に輪郭線を有し、面摸様部と下地模様部とはそれぞれ異なる色彩で塗り分けられ、第２の装飾模様又は第４の装飾模様が、着色された線模様部が光透過部上に輪郭線として描かれ、第１の装飾模様の輪郭線と第２の装飾模様の輪郭線とは、図案として連続するか、又は第３の装飾模様の輪郭線と第４の装飾模様の輪郭線とは、図案として連続するように配置されることが好ましい。これにより、第１の装飾模様及び第２の装飾模様が共に輪郭線を有し、第２の装飾模様が第１の装飾模様を塗り潰したようなデザイン効果を生じさせるか、又は、第４の装飾模様が第３の装飾模様を塗り潰したようなデザイン効果を生じさせることができる。さらに、輪郭線が図案として連続するように配置されることで、第１の装飾模様と第２の装飾模様と、或いは第３の装飾模様と第４の装飾模様とのデザイン的な統一感をより強調することができる。
【００１７】
また、装飾模様付き太陽電池パネルは、表面側縁部又は裏面側縁部には板状の蓄光剤が取り付けられ、表面側縁部の蓄光剤の表面には、線模様部と光透過部とから構成される第５の装飾模様が印刷されて着色された線模様部が光透過部上に輪郭線として描かれ、又は、裏面側縁部の蓄光剤の表面には、線模様部と光透過部とから構成される第６の装飾模様が印刷されて着色された線模様部が光透過部上に輪郭線として描かれ、第５の装飾模様の輪郭線と第２の装飾模様の輪郭線とは、図案として連続するように配置されるか、又は、第６の装飾模様の輪郭線と第４の装飾模様の輪郭線とは、図案として連続するように配置されることが好ましい。これにより、太陽光の光エネルギーを吸収した蓄光剤が暗闇でその光エネルギーを放出するという性質を利用することができる。すなわち、表面側パネルでは、図案的に第２の装飾模様に連続した第５の装飾模様を暗闇に浮び出させるというデザイン効果を生じさせることができる。また、裏面側パネルでは、図案的に第４の装飾模様に連続した第６の装飾模様を暗闇に浮び出させるというデザイン効果を生じさせることができる。また、表面側パネルと裏面側パネルとで異なる装飾模様とし、デザイン効果を変化させることができる。
【００１８】
また、装飾模様付き太陽電池パネルは、裏面側パネルが、太陽光を遮蔽する素材からなり、裏面側縁部及び裏面側パネル部には、面により模様を表す面摸様部と、面模様部の下地となる下地模様部とからなる第７の装飾模様、又は線により模様を表す線模様部と、線模様部の下地となる下地模様部とからなる第８の装飾模様のいずれかが印刷されることが好ましい。これにより、裏面側パネルが表面側パネルと異なる装飾模様を有することができる。例えば、表面側パネルを窓側に向けて太陽電池パネルとして機能させながら、建物の外部から装飾模様を見せ、裏面側パネルを室内側に向けて装飾性を有するインテリアとして機能させることができる。
【００１９】
上記目的を達成するため、本発明に係る装飾模様付き太陽電池パネルは、敷設された複数枚の太陽電池セルに表面パネルを積層して貼り付け、枠材を取り付けて太陽電池セルを固定し、枠材の表面である枠部には、第１の装飾模様が印刷され、太陽電池セルに対向して太陽光を太陽電池セルに入射させる表面パネルには、第２の装飾模様が印刷され、第１の装飾模様は、面により模様を表す面摸様部と、面模様部の下地となる下地模様部とから構成され、第２の装飾模様は、線により模様を表す線模様部と、太陽光を透過させる光透過部とから構成されることを特徴とする。これにより、例えば、屋根面などに設置される太陽電池パネルについても太陽電池パネルの発電量を損なうことなく表面パネルに装飾模様を表示して太陽電池パネルの意匠性を高めることができ、意匠性の高いエクステリアとして扱うことができる。
【００２０】
また、装飾模様付き太陽電池パネルは、表面側パネル又は裏面側パネルに印刷される線模様部が太陽光を透過させる模様であることが好ましい。これにより、表面側パネル又は裏面側パネルに印刷される線模様部の線を、例えば、細線、破線、薄い色彩の線にするなどにより太陽電池パネルの発電量の低下を最小限にすることができる。さらに、表面側パネル又は裏面側パネルに印刷される線模様部を無くして太陽光を透過させる光透過部と同様にすることで太陽電池パネルの発電量を最大限にすることができる。
【００２１】
さらに、装飾模様付き太陽電池パネルは、装飾模様には、小紋の柄及び色彩を再現した装飾模様が含まれることが好ましい。これにより、太陽電池パネルに、例えば、京小紋や江戸小紋といった日本の伝統的な模様や色彩を施すことができ、室内に設置された太陽電池パネルの意匠性を高めて質の高いインテリアとして扱うことができ、屋外室内に設置された太陽電池パネルの意匠性を高めて質の高いエクステリアとして扱うことができる。
【発明の効果】
【００２２】
以上のように、本発明に係る装飾模様付き太陽電池パネルによれば、太陽電池パネルの発電量を損なうことなくパネル面に装飾模様を表示して太陽電池パネルの意匠性を高める装飾模様付き太陽電池パネルを提供することができる。
【図面の簡単な説明】
【００２３】
【図１】本発明に係る装飾模様付き太陽電池パネルについて、表面側パネルの装飾模様の１つの実施形態を示す平面図である。
【図２】図１の装飾模様付き太陽電池パネルのＡ−Ａ断面図である。
【図３】図１の装飾模様付き太陽電池パネルについて、裏面側パネルの装飾模様の１つの実施形態を示す平面図である。
【図４】蓄光剤を設けた装飾模様付き太陽電池パネルについて、表面側パネルの装飾模様の実施形態を示す平面図である。
【図５】裏面側パネルの装飾模様について、装飾模様付き太陽電池パネルの他の実施形態を示す平面図である。
【図６】装飾模様付き太陽電池パネルの他の実施形態を示す平面図である。
【図７】一般的なフィルム型太陽電池パネルを示す平面図及びＣ−Ｃ断面図である。
【発明を実施するための形態】
【００２４】
以下に、図面を用いて本発明に係る装飾模様付き太陽電池パネル１の実施形態につき、詳細に説明する。図１に、装飾模様付き太陽電池パネル１の表面側パネル４ａの装飾模様の平面図を示す。また、図２に、図１に示す装飾模様付き太陽電池パネル１のＡ−Ａ断面図を示す。
【００２５】
本実施形態の装飾模様付き太陽電池パネル１にはフィルム型太陽電池パネルが用いられる。このフィルム型太陽電池パネルは、周辺に縁部３（図１参照）が設けられて並置された複数枚の太陽電池セル２を、表面側パネル４ａと裏面側パネル４ｂにより挟み込み、接着剤（又は封止材）２２により太陽電池パネル１内に太陽電池セル２を内蔵したものである。本実施形態での太陽電池セル２にはアモルファス（ａｍｏｒｐｈｏｕｓ）シリコンが用いられ、このアモルファスシリコンは、太陽光が入射されると光エネルギーを電気エネルギーに変換するという特性を有する。この表面側パネル４ａは、例えば、ＥＴＦＥ（熱可塑性フッ素樹脂）などからなり、裏面側パネル４ｂは、例えば、ＥＴＦＥ（熱可塑性フッ素樹脂）、ＰＥＴ（ポリエチレンテレフタラート）、又は鋼板などからなる。
【００２６】
表面側パネル４ａは、太陽電池セル２周辺の縁部３に対向する表面側縁部３ａ（図２参照）と、太陽電池セル２に対向し、太陽光を太陽電池セル２に入射させる表面側パネル部５ａ（図２参照）とから構成される。すなわち、表面側パネル４ａ自体は境目のない平板であるが、内部の太陽電池セル２と、太陽電池セル２周辺の縁部３にそれぞれ対向する平板の部分が表面側縁部３ａ及び表面側パネル部５ａに区分される。なお、裏面側パネル４ｂは、太陽電池セル２周辺の縁部３に対向する裏面側縁部３ｂ（図２参照）と、太陽電池セル２に対向し、太陽光を太陽電池セル２に入射させる裏面側パネル部５ｂ（図２参照）とから構成される。
【００２７】
そして、図１に示すように、表面側縁部３ａには第１装飾模様１１が印刷され、表面側パネル部５ａには第２装飾模様１２がそれぞれ印刷される。図１では、説明のため装飾模様の一例として水玉模様を用いて表示するが、この装飾模様はこの水玉模様に限らず、あらゆる装飾模様が対象となり、特に、小紋の柄及び色彩を再現した装飾模様も含まれる。これにより、装飾模様付き太陽電池パネル１に、例えば、京小紋や江戸小紋といった日本の伝統的な模様や色彩を施すことができ、室内に設置された太陽電池パネル１の意匠性を高めて質の高いインテリアとして扱うことができる。また、屋外に設置された太陽電池パネル１の意匠性を高めて質の高いエクステリアとして扱うことができる。
【００２８】
表面側縁部３ａに印刷される第１装飾模様１１は、面により模様を表す面摸様部６ａと、面模様部６の下地となる下地模様部７とから構成される。図１に示すように、本実施形態では面摸様部６ａをハッチングにより示すが、このハッチングは、面摸様部６ａが下地模様部７ａの色彩と異なる色彩で塗り潰されていることを示す。つまり、面摸様部６ａの色彩が下地模様部７ａの色彩と区別されることで装飾模様が認識される。但し、面摸様部６と下地模様部７ａとは、装飾模様が認識されれば色彩で塗り潰された装飾模様に限らず、例えば、線図、破線図など他の装飾模様を表すものであっても良い。
【００２９】
第２装飾模様１２は、線により模様を表す線模様部８ａと、太陽光を透過させる光透過部９ａとから構成される。すなわち、表面側パネル部５ａには、例えば、ＥＴＦＥ（熱可塑性フッ素樹脂）などのように太陽光を透過させる透明な素材からなる光透過部９ａに、線により模様を表す線模様部８ａが表示される。この線模様には、例えば、実線、破線、点線、細線、太線など面的に塗り潰したもの以外のあらゆる装飾模様が含まれる。これにより、線模様の線部分のみが太陽光を遮蔽し、その他の光透過部は太陽光を透過するので、太陽電池パネル１への太陽光の透過率を極めて高くすることができる。このように、太陽電池パネル１の発電量を損なうことなく表面パネル４に装飾模様を表示して太陽電池パネル１の意匠性を高めることが可能となる。
【００３０】
図３に、図１の装飾模様付き太陽電池パネル１の裏面側パネル４ｂの装飾模様の１つの実施形態を示す。本実施形態では、太陽電池セル２は、表面だけではなく裏面から受光した光エネルギーも電気に変換する。すなわち、本実施形態では、太陽電池セル２のアモルファスシリコンが表面だけではなく裏面からの太陽光をも受光して光エネルギーを電気に変換する。実施形態としては、例えば、２枚のアモルファスシリコンが互いに受光面を外側にして張り合わされたものなどある。この裏面側パネル４ｂは、表面側パネル４ａと同様に、太陽電池セル２周辺の縁部３に対向する裏面側縁部３ｂと、太陽電池セル２に対向して太陽光を太陽電池セル２に入射させる裏面側パネル部５ｂとから構成される。そして、裏面側縁部３ｂには第３装飾模様１３が印刷され、裏面側パネル部５ｂには第４装飾模様１４が印刷される。図３では、説明のため第３装飾模様１３及び第４装飾模様１４の一例として三角形模様を用いて表示するが、これらの装飾模様はこれに限らず、あらゆる装飾模様が対象となり、特に、小紋の柄及び色彩を再現した装飾模様も含まれる。また、表面側パネル４ａの第１装飾模様１１又は第２装飾模様１２と同じ装飾模様であっても良い。この裏面側パネル４ｂは、表面側パネル４ａと同様に、第３装飾模様１３が面により模様を表す面摸様部６ｂと、面模様部６ｂの下地となる下地模様部７ｂとから構成され、第４装飾模様１４が線により模様を表す線模様部８ｂと、太陽光を透過させる光透過部９ｂとから構成される。
【００３１】
これにより、装飾模様付き太陽電池パネル１を室内に配置させ、例えば、窓から入射する太陽光に対して表面或いは裏面のいずれかで受光することができ、或いは表面及び裏面の双方で受光でき、装飾模様付き太陽電池パネル１の発電量を増す活用法を提示できる。また、本装飾模様付き太陽電池パネル１は、その表面及び裏面の装飾性により室内に配置されるインテリアとして使用される。さらに、本装飾模様付き太陽電池パネル１は、表面側パネル４ａの第１装飾模様１１及び第２装飾模様１２と裏面側パネル４ｂの第３装飾模様１３及び第４装飾模様１４とを、同じにしても良く異ならせても良い。このことで、装飾模様付き太陽電池パネル１の装飾性のバリエーションを増加できる。
【００３２】
ここで、図１に示す表面側パネル４ａの第１装飾模様１１、又は、図３に示す裏面側パネル４ｂの第３装飾模様１３は、面摸様部６ａ，６ｂと下地模様部７ａ，７ｂとの境界上に輪郭線１０ａ，１０ｃを有し、面摸様部６ａ，６ｂと下地模様部７ａ，７ｂとはそれぞれ異なる色彩で塗り分けられても良い。また、表面側パネル４ａの第２装飾模様１２、又は裏面側パネル４ｂの第４装飾模様１４は、着色された線模様部８ａ、８ｂが光透過部９ａ、９ｂ上に輪郭線１０ｂ，１０ｄとして描かれても良い。さらに、この第１装飾模様１１の輪郭線１０ａと第２装飾模様１２の輪郭線１０ｂとが、図案として連続するように配置されても良い。また、第３装飾模様１３の輪郭線１０ｃと第４装飾模様１４の輪郭線１０ｄとが、図案として連続するように配置されても良い。
【００３３】
これにより、第１装飾模様１１及び第２装飾模様１２が共に輪郭線１０ａ，１０ｂを有し、第１装飾模様１１が第２装飾模様１２を塗り潰したようなデザイン効果を生じさせることができる。或いは、第３装飾模様１３が第４装飾模様１４を塗り潰したようなデザイン効果を生じさせることができる。さらに、輪郭を図案として連続するように配置することで、第１装飾模様１１と第２装飾模様１２と、或いは第３装飾模様１３と第４装飾模様１４とのデザイン的な統一感をより強調することができる。
【００３４】
図４に、蓄光剤２３を設けた装飾模様付き太陽電池パネル２０について、表面側パネル４ａの装飾模様を示す。図４（ａ）は、表面側パネル４ａの平面図であり、図４（ｂ）は、図４（ａ）のＢ−Ｂ断面である。なお、蓄光剤２３を裏面側パネル４ｂに適用した場合も表面側パネル４ａと同様な装飾模様の実施形態となる。図４に示すように、表面側縁部３ａには板状の蓄光剤２３が取り付けられ、表面側縁部３ａの蓄光剤２３の表面には、線模様部８ａと光透過部９ａとから構成される第５装飾模様１５が印刷される。そして、着色された線模様部８ｂが光透過部９ｂ上に輪郭線１０ｄとして描かれ、第５装飾模様１５の輪郭線１０ｄと第２装飾模様１２の輪郭線１０ｂとは、図案として連続するように配置される。図示しないが、裏面側パネル４ｂについても裏面側縁部３ｂの蓄光剤２３の表面には、線模様部８ｂと光透過部９ｂとから構成される第６装飾模様１６が印刷される。そして、着色された線模様部８ｂが光透過部９ｂ上に輪郭線１０ｄとして描かれ、第６装飾模様１６の輪郭線１０ｄと第４装飾模様１４の輪郭線１０ｂとは、図案として連続するように配置される。つまり、第５装飾模様１５及び第６装飾模様１６は、第２装飾模様１２及び第４装飾模様１４と同様に、光透過部９ｂ上に輪郭線１０ｄが描かれた装飾模様として統一される。
【００３５】
これにより、太陽光の光エネルギーを吸収した蓄光剤２３が暗闇でその光エネルギーを放出するという性質を意匠的に利用することができる。すなわち、表面側パネル４ａでは、図案的に第２装飾模様１２に連続した第５装飾模様１５を暗闇に浮び出させるというデザイン効果を生じさせることができる。また、裏面側パネル４ｂでも同様に、図案的に第４装飾模様１４に連続した第６装飾模様１６を暗闇に浮び出させるというデザイン効果を生じさせることができる。
【００３６】
このように、装飾模様付き太陽電池パネル１の装飾模様１５，１６は、縁部３において蓄光剤２３に太陽光の光エネルギーを透過させて蓄光させる。一方、装飾模様付き太陽電池パネル１の装飾模様１２，１４は、パネル部５において太陽電池セル２に太陽光の光エネルギーを透過させて発電させる。また、表面側パネル４ａと裏面側パネル４ｂとで同じ装飾模様としても良いが、異なる装飾模様としても良い。これにより、装飾模様付き太陽電池パネル１の蓄光によるデザインバリエーションを変化させることもできる。
【００３７】
図５に、裏面側パネル４ｂの装飾模様について、装飾模様付き太陽電池パネル３０の他の実施形態を示す。この裏面側パネル４ｂは、例えば、鋼板のような太陽光を遮蔽する素材からなる。従って、裏面側パネル４ｂの装飾模様は、上述したような太陽光の光エネルギーを透過させて発電させるという技術的な制約はなくなり、自由な装飾模様が可能となる。例えば、裏面側縁部３ｂ及び裏面側パネル部５ｂには、図５に示すように、共に面により模様を表す面摸様部６ｃと、面模様部６ｃの下地となる下地模様部７ｃとからなる第７装飾模様１７が印刷されても良い。また、図４に示すように、線により模様を表す線模様部８ｂと、線模様部８ｂの下地となる下地模様部９ｂとからなる第８装飾模様１８が印刷されても良い。
【００３８】
図６に、装飾模様付き太陽電池パネル４０の他の実施形態を示す。本装飾模様付き太陽電池パネル４０は、例えば、屋根面などに太陽電池パネルを設置する場合に用いられる。すなわち、屋根面の防水層の上に複数枚の太陽電池セル２を敷設し、さらに表面フィルム４ｃを積層して貼り付けた太陽電池モジュールを現場施工する。そして、この太陽電池モジュールは枠材２４により固定される。この装飾模様付き太陽電池パネル４０の枠材２４の表面には第１装飾模様１１が印刷され、太陽電池セル２に対向して太陽光を入射させる表面フィルム４ｃには第２装飾模様１２が印刷される。そして、第１装飾模様１１は、面により模様を表す面摸様部６ｄと、面模様部６ｄの下地となる下地模様部７ｄとから構成され、第２装飾模様１２は、線により模様を表す線模様部８ｄと、太陽光を透過させる光透過部９ｄとから構成される。これにより、例えば、屋根面などに設置される装飾模様付き太陽電池パネル４０についても太陽電池の発電量を損なうことなく枠材２４及び表面フィルム４ｃに装飾模様を表示して太陽電池パネル１の意匠性を高めることができ、意匠性の高いエクステリアとして扱うことができる。
【００３９】
上述した装飾模様付き太陽電池パネル１，２０，３０，４０は、表面側パネル４ａ又は裏面側パネル４ｂに印刷される線模様部８ａ，８ｂ，８ｃ，８ｄが太陽光を透過させる模様であっても良い。これにより、表面側パネル４ａ又は裏面側パネル４ｂに印刷される線模様部８ａ，８ｂ，８ｃ，８ｄの線を、例えば、細線、破線、薄い色彩の線にするなどにより太陽電池パネル１，２０，３０，４０の発電量の低下を最小限にすることができる。さらに、表面側パネル又は裏面側パネルに印刷される線模様部８ａ，８ｂ，８ｃ，８ｄを無くして太陽光を透過させる光透過部９ａ，９ｂ，９ｃ，９ｄと同様にすることで装飾模様付き太陽電池パネル１，２０，３０，４０の発電量を最大限にすることができる。
【００４０】
表面側パネル４ａ又は裏面側パネル４ｂに印刷される線模様部８ａ，８ｂ，８ｃ，８ｄは太陽光を透過させる模様で、装飾模様１１〜１８には、小紋の柄及び色彩を再現した装飾模様が含まれる。
【符号の説明】
【００４１】
１，２０，３０，４０  装飾模様付き太陽電池パネル、２  太陽電池セル、３  縁部、３ａ  表面側縁部、３ｂ  裏面側縁部、４  （表面）パネル、４ａ  表面側パネル、４ｂ  裏面側パネル、４ｃ  表面フィルム、５  パネル部、５ａ  表面側パネル部、５ｂ  裏面側パネル部、６ａ，６ｂ，６ｃ，６ｄ  面摸様部、７ａ，７ｂ，７ｃ，７ｄ  下地模様部、８ａ，８ｂ，８ｃ，８ｄ  線模様部、９ａ，９ｂ，９ｃ，９ｄ  光透過部、１０  輪郭線、１０ａ  第１装飾模様の輪郭線、１０ｂ  第２装飾模様の輪郭線、１０ｃ  第３装飾模様の輪郭線、１０ｄ  第４装飾模様の輪郭線、１０ｅ  第５装飾模様の輪郭線、１１  第１装飾模様、１２  第２装飾模様、１３  第３装飾模様、１４  第４装飾模様、１５  第５装飾模様、１６  第６装飾模様、１７  第７装飾模様、１８  第８装飾模様、２１  端子箱、２２  接着剤（封止材）、２３  蓄光剤、２４  枠材、２５  枠部、４０  フィルム型太陽電池パネル。
【図１】
2012227402.tif 000003
【図２】
2012227402.tif 000004
【図３】
2012227402.tif 000005
【図４】
2012227402.tif 000006
【図５】
2012227402.tif 000007
【図６】
2012227402.tif 000008
【図７】
2012227402.tif 000009